(57)【要約】      （修正有）【課題】メーカーが供給する正規品を店舗で複製防止する。【解決手段】店舗側の端末２にデジタルデータを書き込むデジタルデータ入力手段２００を備え、該デジタルデータ入力手段でデジタルデータを書き込む時に顧客ＩＤ入力手段２０１で顧客ＩＤを書き込み、該店舗側の端末２から前記管理ＩＤと前記顧客ＩＤを対応づけて送信手段２０２を介して管理サーバ３に送信し、該管理サーバは送信された前記管理ＩＤと前記顧客ＩＤを対応づけて保存手段３００に保存し、顧客の端末５は使用するメディアに書き込まれた前記管理ＩＤ及び前記顧客ＩＤを読み取る読取手段５００を備え、該読取手段で読み取った前記管理ＩＤ及び前記顧客ＩＤを前記管理サーバに送信手段を介して送信し、前記管理サーバは送信手段５０１を介して送信された前記管理ＩＤ及び前記顧客ＩＤと前記保存手段に保存されている前記管理ＩＤ及び前記顧客ＩＤとを比較手段で比較する。【選択図】図１
2004362623.tif 000002
【特許請求の範囲】
【請求項１】
管理ＩＤが予め書き込まれたメディアを入荷して販売する店舗側の端末に、デジタルデータを書き込むデジタルデータ入力手段を備え、該デジタルデータ入力手段でデジタルデータを書き込む時に顧客ＩＤ入力手段で顧客ＩＤを書き込み、
該店舗側の端末から、前記管理ＩＤと前記顧客ＩＤを対応づけて、あるいは前記管理ＩＤと前記顧客ＩＤを別々に、送信手段を介して管理サーバに送信し、
該管理サーバは、送信された前記管理ＩＤと前記顧客ＩＤを対応づけて保存手段に保存し、
前記メディアを購入した顧客の端末は、使用するメディアに書き込まれた前記管理ＩＤ及び前記顧客ＩＤを読み取る読取手段を備え、該読取手段で読み取った前記管理ＩＤ及び前記顧客ＩＤを前記管理サーバに送信手段を介して送信し、
前記管理サーバは、前記顧客の端末から送信手段を介して送信された前記管理ＩＤ及び前記顧客ＩＤと、前記保存手段に保存されている前記管理ＩＤ及び前記顧客ＩＤとを比較手段で比較し、一致する場合には正規なメディアと判断手段で判断し、不一致の場合には不正なメディアと判断手段で判断することを特徴とするメディアの不正使用防止システム。
【請求項２】
店舗側の端末のデジタルデータ入力手段は、撮影データ又は顧客が持ち込んだデータを入力することを特徴とする請求項１記載のメディアの不正使用防止システム。
【請求項３】
店舗側の端末は、管理サーバへのアクセスキーを含む認証情報を入力する認証情報入力手段を備え、該認証情報入力手段で入力された認証情報は管理サーバに送信され、該管理サーバの保存手段に保存されることを特徴とする請求項１又は２記載のメディアの不正使用防止システム。
【請求項４】
管理サーバは、顧客の端末から送信される認証情報を受信した後、保存されている認証情報と比較してアクセスの認証を行い、認証の結果を顧客端末に送信することを特徴とする請求項３記載のメディアの不正使用防止システム。
【請求項５】
管理ＩＤが予め書き込まれたメディアを入荷して販売する店舗側の端末に、管理ＩＤを蓄積したデータを保存する保存手段を備え、且つ書き込まれた管理ＩＤが該保存手段に保存された管理ＩＤと照合する照合手段を備え、該照合手段で書き込まれた管理ＩＤが保存されている管理ＩＤとが一致するか否か照合し、一致しない場合は、前記デジタルデータ入力手段によってデジタルデータを書き込む際に前記顧客ＩＤ入力手段によって顧客ＩＤを書き込み、
該店舗側の端末から、前記管理ＩＤと前記顧客ＩＤを対応づけて、あるいは前記管理ＩＤと前記顧客ＩＤを別々に、送信手段を介して管理サーバに送信し、
該管理サーバは、送信された前記管理ＩＤと前記顧客ＩＤを対応づけて保存手段に保存し、
前記メディアを購入した顧客の端末は、使用するメディアに書き込まれた前記管理ＩＤ及び前記顧客ＩＤを読み取る読取手段を備え、該読取手段で読み取った前記管理ＩＤ及び前記顧客ＩＤを前記管理サーバに送信手段を介して送信し、
前記管理サーバは、前記顧客の端末から送信手段を介して送信された前記管理ＩＤ及び前記顧客ＩＤと、前記保存手段に保存されている前記管理ＩＤ及び前記顧客ＩＤとを比較手段で比較し、一致する場合には正規なメディアと判断手段で判断し、不一致の場合には不正なメディアと判断手段で判断することを特徴とするメディアの不正使用防止システム。
【請求項６】
店舗側の端末のデジタルデータ入力手段は、撮影データ又は顧客が持ち込んだデータを入力することを特徴とする請求項５記載のメディアの不正使用防止システム。
【請求項７】
店舗側の端末は、管理サーバへのアクセスキーを含む認証情報を入力する認証情報入力手段を備え、該認証情報入力手段で入力された認証情報は管理サーバに送信され、該管理サーバの保存手段に保存されることを特徴とする請求項５又は６記載のメディアの不正使用防止システム。
【請求項８】
管理サーバは、顧客の端末から送信される認証情報を受信した後、保存されている認証情報と比較してアクセスの認証を行い、認証の結果を顧客端末に送信することを特徴とする請求項７記載のメディアの不正使用防止システム。
【発明の詳細な説明】
【０００１】
【発明の属する技術分野】
本発明は、メディアの不正使用防止システムに関し、詳しくはメーカーが供給する正規品を店舗で複製することを防止して消費者被害を少なくするメディアの不正使用防止システムに関する。
【０００２】
【従来の技術】
従来、メディアの複製防止技術は、音楽、画像、ソフトウエア等の著作権保護のために開発されてきた。
【０００３】
例えばＣＤ−ＲＯＭの複製防止技術に関しては、ＣＤ−ＲＯＭそのものに防止技術を入れる場合が多く、音楽ＣＤに不正な情報を入れることで、ＣＤ−ＲＯＭドライブを騙し、パソコンで読めないようにするプロテクトのＣＤＳ−１００、ＣＤＳ−２００、ＣＤに収められた実際のオーディオファイルに意図的に“歪み”を加えることで機能するＳａｆｅ  Ａｕｄｉｏ（商品名）、ネットワーク認証を行うレーベルゲートＣＤやＣＤＳ−３００という技術が採用されている。
【０００４】
またＤＶＤの複製防止技術に関しては、ＤＶＤ−Ｖｉｄｅｏに採用されているように、映像ファイルを暗号化し、パソコン用ドライブ等で直接ファイルをコピーしても開くことができないようにするＣＳＳ（Ｃｏｎｔｅｎｔ  Ｓｃｒａｍｂｌｉｎｇ  Ｓｙｓｔｅｍ）、ＤＶＤオーディオに採用されているＣＳＳの強化版であるＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）という技術が採用されている。
【０００５】
これらの従来技術は、ＣＤやＤＶＤそのものの複製を防止するための技術で、また書き込みができないＣＤやＤＶＤに対して行われる技術であり、追記や書き換えができるメディアに対しては適用できない欠点がある。
【０００６】
また、近年、写真店などの店頭で、お客様のデータをメディアに記録するサービス等を行うときには、追記や書き換え可能なメディアを使う要請が多く、かかる要請を従来の技術では満足することができない。
【０００７】
【発明が解決しようとする課題】
写真の店舗等（以下、単に店舗という）で、お客様を撮影した証明写真データやお客様が持ち込んだフィルム、印画紙等をデジタル化したデータを、メディア（ＣＤ−Ｒ、ＤＶＤ−Ｒ、メモリカード等）に記録するサービスを行う場合、お客様に一定のサービスを提供するために、ＣＤ−ＲやＤＶＤ−Ｒのラベルデザインを統一したり、メディアの品質を保証したりする必要があるために、メーカーがメディアを供給する場合が多い。
【０００８】
しかしながら、店舗にとっては、メーカーのリテール品（正規品）を購入するより、その時に一番安いものを購入する方が利益を得る。このためメーカーからリテール品（正規品）を購入してコピーする場合がある。
【０００９】
一方、お客様（顧客）にとっては、メーカーのリテール品以外のもので作成された最終メディアが不良品だった場合には、リテール品でないのでメーカー保証が受けられない場合がある。
【００１０】
そこで、本発明は、メーカーが供給する正規品を店舗で複製することを防止して消費者被害を少なくするメディアの不正使用防止システムを提供することを課題とする。
【００１１】
また本発明は、顧客（お客様）に渡す最終商品メディアはコピーされてもかまわないが、最終メディアになる前のあらかじめデータが書き込まれた最終商品前の書き込み可能なメディア（ＣＤ−Ｒ、ＤＶＤ−Ｒ等）の不正使用を防止するメディアの不正使用防止システムを提供することを課題とする。
【００１２】
本発明の他の課題は以下の記載によって明らかとなる。
【００１３】
【課題を解決するための手段】
上記課題は以下の各発明によって解決される。
【００１４】
（請求項１）管理ＩＤが予め書き込まれたメディアを入荷して販売する店舗側の端末に、デジタルデータを書き込むデジタルデータ入力手段を備え、該デジタルデータ入力手段でデジタルデータを書き込む時に顧客ＩＤ入力手段で顧客ＩＤを書き込み、
該店舗側の端末から、前記管理ＩＤと前記顧客ＩＤを対応づけて、あるいは前記管理ＩＤと前記顧客ＩＤを別々に、送信手段を介して管理サーバに送信し、
該管理サーバは、送信された前記管理ＩＤと前記顧客ＩＤを対応づけて保存手段に保存し、
前記メディアを購入した顧客の端末は、使用するメディアに書き込まれた前記管理ＩＤ及び前記顧客ＩＤを読み取る読取手段を備え、該読取手段で読み取った前記管理ＩＤ及び前記顧客ＩＤを前記管理サーバに送信手段を介して送信し、
前記管理サーバは、前記顧客の端末から送信手段を介して送信された前記管理ＩＤ及び前記顧客ＩＤと、前記保存手段に保存されている前記管理ＩＤ及び前記顧客ＩＤとを比較手段で比較し、一致する場合には正規なメディアと判断手段で判断し、不一致の場合には不正なメディアと判断手段で判断することを特徴とするメディアの不正使用防止システム。
【００１５】
（請求項２）店舗側の端末のデジタルデータ入力手段は、撮影データ又は顧客が持ち込んだデータを入力することを特徴とする請求項１記載のメディアの不正使用防止システム。
【００１６】
（請求項３）店舗側の端末は、管理サーバへのアクセスキーを含む認証情報を入力する認証情報入力手段を備え、該認証情報入力手段で入力された認証情報は管理サーバに送信され、該管理サーバの保存手段に保存されることを特徴とする請求項１又は２記載のメディアの不正使用防止システム。
【００１７】
（請求項４）管理サーバは、顧客の端末から送信される認証情報を受信した後、保存されている認証情報と比較してアクセスの認証を行い、認証の結果を顧客端末に送信することを特徴とする請求項３記載のメディアの不正使用防止システム。
【００１８】
（請求項５）管理ＩＤが予め書き込まれたメディアを入荷して販売する店舗側の端末に、管理ＩＤを蓄積したデータを保存する保存手段を備え、且つ書き込まれた管理ＩＤが該保存手段に保存された管理ＩＤと照合する照合手段を備え、該照合手段で書き込まれた管理ＩＤが保存されている管理ＩＤとが一致するか否か照合し、一致しない場合は、前記デジタルデータ入力手段によってデジタルデータを書き込む際に前記顧客ＩＤ入力手段によって顧客ＩＤを書き込み、
該店舗側の端末から、前記管理ＩＤと前記顧客ＩＤを対応づけて、あるいは前記管理ＩＤと前記顧客ＩＤを別々に、送信手段を介して管理サーバに送信し、
該管理サーバは、送信された前記管理ＩＤと前記顧客ＩＤを対応づけて保存手段に保存し、
前記メディアを購入した顧客の端末は、使用するメディアに書き込まれた前記管理ＩＤ及び前記顧客ＩＤを読み取る読取手段を備え、該読取手段で読み取った前記管理ＩＤ及び前記顧客ＩＤを前記管理サーバに送信手段を介して送信し、
前記管理サーバは、前記顧客の端末から送信手段を介して送信された前記管理ＩＤ及び前記顧客ＩＤと、前記保存手段に保存されている前記管理ＩＤ及び前記顧客ＩＤとを比較手段で比較し、一致する場合には正規なメディアと判断手段で判断し、不一致の場合には不正なメディアと判断手段で判断することを特徴とするメディアの不正使用防止システム。
【００１９】
（請求項６）店舗側の端末のデジタルデータ入力手段は、撮影データ又は顧客が持ち込んだデータを入力することを特徴とする請求項５記載のメディアの不正使用防止システム。
【００２０】
（請求項７）店舗側の端末は、管理サーバへのアクセスキーを含む認証情報を入力する認証情報入力手段を備え、該認証情報入力手段で入力された認証情報は管理サーバに送信され、該管理サーバの保存手段に保存されることを特徴とする請求項５又は６記載のメディアの不正使用防止システム。
【００２１】
（請求項８）管理サーバは、顧客の端末から送信される認証情報を受信した後、保存されている認証情報と比較してアクセスの認証を行い、認証の結果を顧客端末に送信することを特徴とする請求項７記載のメディアの不正使用防止システム。
【００２２】
【発明の実施の形態】
以下、本発明の実施の形態について説明する。
【００２３】
（第１の態様）
図１は、本発明に係るメディアの不正使用防止システムの第１の態様を示すブロック図であり、同図において、１はメーカーにおいて製造されたメディアであり、ＣＤ−Ｒ、ＤＶＤ−Ｒ、メモリカード等が挙げられる。メーカー側のハードウエア資源には、図示しないが、管理ＩＤを予め書き込む管理ＩＤ入力手段を備えている。
【００２４】
予め書き込む管理ＩＤは、メディア個体を識別するＩＤであれば特に限定されない。管理ＩＤ入力手段は、ＣＤーＲドライブ、ＤＶＤーＲドライブ等が採用される。
【００２５】
管理ＩＤが予め書き込まれたメディアは、店舗側に出荷される。店舗側は管理ＩＤが予め書き込まれたメディアを入荷して販売する。
【００２６】
図１において、２は店舗側の端末であり、該端末２は、デジタルデータを書き込むデジタルデータ入力手段２００を備えている。デジタルデータは、撮影データや顧客が持ち込んだデータ等である。
【００２７】
該デジタルデータ入力手段２００でデジタルデータを書き込む時に顧客ＩＤ入力手段２０１で顧客ＩＤを書き込む。
【００２８】
該店舗側の端末２から、前記管理ＩＤと前記顧客ＩＤを送信手段２０２を介して例えばネットワーク４経由で管理サーバ３に送信する。前記管理ＩＤと前記顧客ＩＤを管理サーバ３に送信するに際しては、前記管理ＩＤと前記顧客ＩＤを対応づけて送信してもよいし、前記管理ＩＤと前記顧客ＩＤを別々に送信してもよい。いずれの形態で送信されても、該管理サーバ３は、送信された前記管理ＩＤと前記顧客ＩＤを対応づけて保存手段３００に保存する。
【００２９】
図２には、管理ＩＤと顧客ＩＤを対応づけた例が示されている。
【００３０】
図１において、５はメディアを購入した顧客の端末である。顧客の端末５は、使用するメディアに書き込まれた前記管理ＩＤ及び前記顧客ＩＤを読み取る読取手段５００を備えている。
【００３１】
該読取手段５００で読み取った前記管理ＩＤ及び前記顧客ＩＤを前記管理サーバ３に送信手段５０１を介して送信する。
【００３２】
前記管理サーバ３は、前記顧客の端末５から送信手段５０１を介して送信された前記管理ＩＤ及び前記顧客ＩＤと、前記保存手段に保存されている前記管理ＩＤ及び前記顧客ＩＤとを比較手段３０１で比較する。
【００３３】
一致する場合には正規なメディアと判断手段３０２で判断し、不一致の場合には不正なメディアと判断手段３０２で判断する。
【００３４】
上記の態様で、店舗側の端末２は、管理サーバ３へのアクセスキーを含む認証情報を入力する認証情報入力手段２０３を備え、該認証情報入力手段２０３で入力された認証情報は管理サーバ３に送信され、該管理サーバ３の保存手段３００に保存される。
【００３５】
管理サーバ３は、顧客の端末２から送信される認証情報を受信した後、保存されている認証情報と比較してアクセスの認証を行い、認証の結果を顧客端末２に送信する。
【００３６】
以下、本発明のシステムの一例を図３の説明図に基づいて説明する。
【００３７】
顧客端末２のデジタルデータ入力手段２００でデジタルデータを書き込む時に顧客ＩＤ入力手段２０１で顧客ＩＤを書き込む（Ｓ１）。
【００３８】
次いで、店舗側の端末２から、前記管理ＩＤと前記顧客ＩＤを管理サーバ３に送信する（Ｓ２）。管理サーバ３は、送信された前記管理ＩＤと前記顧客ＩＤを対応づけて保存する（Ｓ３）。
【００３９】
次いで、顧客の端末５は、使用するメディアに書き込まれた前記管理ＩＤ及び前記顧客ＩＤを読み取る（Ｓ４）。読み取った前記管理ＩＤ及び前記顧客ＩＤを前記管理サーバ３に送信する（Ｓ５）。
【００４０】
前記管理サーバ３は、前記顧客の端末５から送信手段５０１を介して送信された前記管理ＩＤ及び前記顧客ＩＤと、前記保存手段に保存されている前記管理ＩＤ及び前記顧客ＩＤとを比較手段３０１で比較する（Ｓ６）。
【００４１】
一致する場合には正規なメディアと判断し（Ｓ７）、不一致の場合には不正なメディアと判断する（Ｓ８）。
【００４２】
（第２の態様）
図４は、本発明に係るメディアの不正使用防止システムの第２の態様を示すブロック図、図５は第２の態様のシステム例に用いるフロー図である。
【００４３】
この態様は、メーカーの管理ＩＤを店舗側で蓄積しておいて事前チェックして不正防止をより効果的にするシステムである。
【００４４】
管理ＩＤが予め書き込まれたメディア１は、店舗側に出荷される。店舗側は管理ＩＤが予め書き込まれたメディアを入荷して販売する。
【００４５】
店舗側の端末２にメディア１を挿入する（Ｓ１０）。このメディアはメーカー側で予め管理ＩＤが書き込まれている。
【００４６】
次に店舗側の端末２で管理ＩＤのチェックを行う（Ｓ１１）。管理ＩＤは、管理ＩＤのみで正規な管理ＩＤと認証できるようにしておく。
【００４７】
例えば「１１１１１１１１１１１０」ようなトータル１２桁の最初の１０桁の合計（１＋１＋１＋１＋１＋１＋１＋１＝１０）を１１〜１２桁（最後の２桁）で表現する。
【００４８】
また「２２２２２２２２２２２０」の場合、最初の１０桁の２を全て足し合わせると、２＋２＋２＋２＋２＋２＋２＋２＋２＋２＝２０になるので、１１〜１２桁で２０  と記載する。
【００４９】
更に「９９９９９９９９９９９０」の場合、最初の１０桁の９を全て足し合わせると９＋９＋９＋９＋９＋９＋９＋９＋９＋９＝９０になるので、１１〜１２桁で９０  と記載する。
【００５０】
また「１２３４５６７８９０４５」の場合、最初の１０桁の数を全て足し合わせると１＋２＋３＋４＋５＋６＋７＋８＋９＋０＝４５になるので、１１〜１２桁で４５と記載する。
【００５１】
なお、上記の例では数字を用いているが、数字以外に英数字との組み合わせを用いたり、  複雑な演算を用いてもよい。
【００５２】
Ｓ１１でＩＤチェックを行い、一致しなければ不正メディア又は使用不能メディアと判断する（Ｓ１２）。
【００５３】
一致する場合は過去に蓄積された管理ＩＤ（データベースのような保存手段に保存されている）と書き込まれた管理ＩＤとを照合手段２０５で再度チェックを行う（Ｓ１３）。
【００５４】
このＳ１３のチェックで、一致した場合（ＮＧの場合）には、過去に使用された管理ＩＤを持つメディアのため、不正メディアと判断する（Ｓ１４）。
【００５５】
一致しない場合（ＯＫの場合）は、過去に使用された管理ＩＤでないメディアと判断し、顧客ＩＤを入力する（Ｓ１５）。
【００５６】
次いでメディアに、データ（デジタルデータ入力手段２００による）、顧客ＩＤ（顧客ＩＤ入力手段２０１による）、管理サーバへのアクセスキーを書き込む（Ｓ１６）。
【００５７】
次いで、上記認証された管理ＩＤを保存手段２０４に書き込み、蓄積されている管理ＩＤに追加して保存する。
【００５８】
店舗側の端末２から、前記管理ＩＤと前記顧客ＩＤを管理サーバ３に送信する（Ｓ１８）。
【００５９】
管理サーバにおける認証は第１の態様と同じであるので説明を省略する。
【００６０】
なお、店舗側の端末２は、管理サーバ３へのアクセスキーを含む認証情報を管理サーバ３に送信し、該管理サーバ３の保存手段３００に保存され、管理サーバ３は、顧客の端末２から送信される認証情報を受信した後、保存されている認証情報と比較してアクセスの認証を行い、認証の結果を顧客端末２に送信する。
【００６１】
以上、本発明の好ましい態様を説明したが、本発明において、顧客ＩＤ入力は、通信で顧客ＩＤを送信する前、及びメディアに書き込みをする前であれば、順序は特に限定されない。
【００６２】
さらに通信で情報を送信するのは、メディアが挿入され、顧客ＩＤ入力が行われた後であれば順序は特に限定されない。メディアに書き込むデジタルデータは、メディアに書き込む前に準備しておく。
【００６３】
管理サーバへ送信するプロトコルは、ｅ−ｍａｉｌ（ｓｍｔｐ）、ｆｔｐ、ｈｔｔｐ等の汎用のプロトコルを使用する。また、管理サーバへ送信する管理ＩＤ及び顧客ＩＤは暗号化（ＤＥＳ、ＲＳＡ、ＥＣＣ、ＲＣ４、ＲＣ５等）しておくのが好ましい。
【００６４】
【発明の効果】
本発明によると、メーカーが供給する正規品を店舗で複製することを防止して消費者被害を少なくするメディアの不正使用防止システム、顧客（お客様）に渡す最終商品メディアはコピーされてもかまわないが、最終メディアになる前のあらかじめデータが書き込まれた最終商品前の書き込み可能なメディア（ＣＤ−Ｒ、ＤＶＤ−Ｒ等）の不正使用を防止するメディアの不正使用防止システムを提供することができる。
【図面の簡単な説明】
【図１】本発明に係るメディアの不正使用防止システムの第１の態様を示すブロック図
【図２】管理ＩＤと顧客ＩＤの態様例を示す図
【図３】本発明のシステムに用いる処理フロー図
【図４】本発明に係るメディアの不正使用防止システムの第２の態様を示すブロック図
【図５】第２の態様のシステム例に用いるフロー図
【符号の説明】
１：メディア
２：店舗側の端末
２００：デジタルデータ入力手段
２０１：顧客ＩＤ入力手段
２０２：送信手段
２０３：認証情報入力手段
２０４：保存手段（ＤＢ）
２０５：照合手段
３：管理サーバ
３００：保存手段
３０１：比較手段
３０２：判断手段
４：ネットワーク
５：顧客の端末
５００：読取手段
５０１：送信手段
【図１】
2004362623.tif 000003
【図２】
2004362623.tif 000004
【図３】
2004362623.tif 000005
【図４】
2004362623.tif 000006
【図５】
2004362623.tif 000007